(57)【要約】【課題】融雪に掛かる費用を低減する。【解決手段】上下へ貫通する貫通孔が複数形成された板部材と、前記板部材の下方に配置された放出口を複数備え、部屋内から排出された空気を前記放出口へ導き該空気を前記放出口から放出させるダクトと、を有する融雪装置。【選択図】図３
2018076702.tif 000002
【特許請求の範囲】
【請求項１】
上下へ貫通する貫通孔が複数形成された板部材と、
前記板部材の下方に配置された放出口を複数備え、部屋内から排出された空気を前記放出口へ導き該空気を前記放出口から放出させるダクトと、
を有する融雪装置。
【請求項２】
前記放出口は、前記放出口から放出された空気を空冷式熱源機の吸気口から取り込み可能に配置されている請求項１に記載の融雪装置。
【請求項３】
前記板部材上で融雪するときには、前記放出口から前記板部材の下面へ向かって空気を放出し、融雪を行わないときには、前記放出口から前記吸気口側へ向かって空気を放出する請求項２に記載の融雪装置。
【発明の詳細な説明】
【技術分野】
【０００１】
本発明は、融雪装置に関する。
【背景技術】
【０００２】
雪を溶かして積雪を防ぐ融雪装置として、特許文献１に開示されているような、内蔵された電熱線に通電することにより発熱させて、表面に降り積もる雪を溶かす融雪マットがある。
【０００３】
しかし、この融雪マットは、長時間連続して電熱線に通電して発熱させるので、多くの電力を必要とする。このため、融雪に多くの費用が掛かってしまう。
【先行技術文献】
【特許文献】
【０００４】
【特許文献１】特開平９−１３７４１号公報
【発明の概要】
【発明が解決しようとする課題】
【０００５】
本発明は係る事実を考慮し、融雪に掛かる費用を低減することを課題とする。
【課題を解決するための手段】
【０００６】
第１態様の発明は、上下へ貫通する貫通孔が複数形成された板部材と、前記板部材の下方に配置された放出口を複数備え、部屋内から排出された空気を前記放出口へ導き該空気を前記放出口から放出させるダクトと、を有する融雪装置である。
【０００７】
第１態様の発明では、部屋内から排出され外気に比べて高温の空気を、板部材の下方に配置された放出口から放出させることにより、板部材上の雪を溶かすことができる。これにより、板部材上に雪が積もるのを防ぐことができる。また、部屋内から排出された空気の熱を利用して板部材上の雪を溶かすので、融雪に掛かる費用を低減することができる。
【０００８】
第２態様の発明は、第１態様の融雪装置において、前記放出口は、前記放出口から放出された空気を空冷式熱源機の吸気口から取り込み可能に配置されている。
【０００９】
第２態様の発明では、空冷式熱源機の熱交換空気として、外気に比べて条件のよい空気を放出口から放出することで、空冷式熱源機の熱交換効率を向上させることができる。
【００１０】
第３態様の発明は、第２態様の融雪装置において、前記板部材上で融雪するときには、前記放出口から前記板部材の下面へ向かって空気を放出し、融雪を行わないときには、前記放出口から前記吸気口側へ向かって空気を放出する。
【００１１】
第３態様の発明では、板部材上で融雪するときには、放出口から板部材の下面へ向かって空気を放出して融雪能力を向上させ、融雪を行わないときには、吸気口側へ向かって空気を放出して空冷式熱源機の熱交換効率を向上させることができる。
【発明の効果】
【００１２】
本発明は上記構成としたので、融雪に掛かる費用を低減することができる。
【図面の簡単な説明】
【００１３】
【図１】本発明の実施形態に係る融雪装置を示す側面図である。
【図２】本発明の実施形態に係る融雪装置を示す平面図である。
【図３】図２のＡ−Ａ断面図である。
【図４】本発明の実施形態に係る融雪装置を示す正面図である。
【図５】図５（ａ）及び図５（ｂ）は、本発明の実施形態に係る放出管を示す正面図である。
【図６】本発明の実施形態に係る融雪装置のバリエーションを示す正面図である。
【図７】本発明の実施形態に係る融雪装置のバリエーションを示す正面図である。
【発明を実施するための形態】
【００１４】
図を参照しながら、本発明の実施形態を説明する。まず、本発明の実施形態に係る融雪装置について説明する。
【００１５】
図１の側面図、図２の平面図、及び図２のＡ−Ａ断面図である図３には、融雪装置２０の冬季における使用形態が示されている。この使用形態は、後に説明する室外機１４の熱交換効率よりも、板部材２２上の雪を溶かす融雪能力を優先させるものなので、「融雪優先形態」と呼ぶ。
【００１６】
図１及び図２に示すように、建物１０の屋上階１２には、空冷式熱源機としての室外機１４が複数配置されている。室外機１４は、屋上階１２の床面上に設けられた架台１６上に設置されている。室外機１４は、建物１０の最上階に設けられた部屋１８の部屋内に設置された室内機（不図示）とともに、部屋１８の部屋内の空気調和を行う空調設備を構成している。なお、図２には、架台１６が省略されている。
【００１７】
融雪装置２０は、板部材２２と、ダクト２４とを有して構成されている。
【００１８】
板部材２２は、上下へ貫通する貫通孔が複数形成されたグレーチングにより構成されており、室外機１４の点検やメンテナンス等を作業員が行うための歩廊として、室外機１４の周りの室外機１４付近に浮き床を構成するように設けられている。
【００１９】
ダクト２４は、溶融亜鉛メッキ鋼板製の角ダクトからなり、板部材２２の下方に配置されている。ダクト２４の上面には、溶融亜鉛メッキ鋼板製の丸ダクトからなる放出管２６が、ダクト２４の長さ方向に対して複数設けられている。放出管２６は、ダクト２４の上面に略鉛直に設けられた直管であり、放出管２６の端部に設けられた放出口２８は、板部材２２の下方に配置されている。放出管２６は、放出管２６の中空部と、ダクト２４内の流路とが連通するように、ダクト２４に設けられている。なお、ダクト２４や放出管２６は、ダクトとして機能するものであればよく、他の形状のものであってもよいし、他の材料で形成されたものであってもよい。
【００２０】
放出管２６の放出口２８には、重ねられた複数の羽根により構成されたアネモスタット３０が設けられている。このアネモスタット３０によって、図３に示すように、放出口２８から放出される空気４０を拡散させて、この空気４０を板部材２２下面の広い範囲に行き渡らせることができる。なお、図３には、架台１６が省略されている。
【００２１】
ダクト２４は、部屋１８の部屋内とつながっており、部屋１８の部屋内から排出された空気４０を放出管２６の放出口２８へ導き、図３に示すように、この空気４０を放出口２８から板部材２２下面へ向けて放出させる。
【００２２】
図３に示すように、放出管２６の放出口２８から放出された空気４０は、室外機１４の吸気口３２から取り込まれる。すなわち、放出管２６の放出口２８は、この放出口２８から放出された空気４０を室外機１４の吸気口３２から取り込み可能な位置に配置されている。
【００２３】
図１に示すように、ダクト２４は、先下がりの勾配を有しており、ダクト２４の先端部３４には、水抜き用の排水管３６が設けられている。また、ダクト２４には、放出管２６の放出口２８が閉塞したときに空気を放出してダクト２４内が過圧状態になるのを防ぐ、安全装置としての逃がし弁３８が設けられている。
【００２４】
図４には、融雪装置２０の春季、夏季及び秋季における使用形態が示されている。この使用形態は、板部材２２上の雪を溶かす融雪能力よりも室外機１４の熱交換効率を優先させるものなので、「熱交換優先形態」と呼ぶ。
【００２５】
図４に示すように、ダクト２４の上面には、円形鋼管からなる放出管４２が、ダクト２４の長さ方向に対して複数設けられている。放出管４２は、略Ｌ字状に曲げられた曲管であり、放出管４２の端部に設けられた放出口４４は、板部材２２の下方に配置されるとともに、室外機１４の吸気口３２側へ向けられている。放出管４２は、放出管４２の中空部と、ダクト２４内の流路とが連通するように、ダクト２４に設けられている。すなわち、図４の熱交換優先形態では、放出管４２の放出口４４から室外機１４の吸気口３２側へ向かって空気を放出する。
【００２６】
次に、本発明の実施形態に係る融雪装置の作用と効果について説明する。
【００２７】
本実施形態の融雪装置２０では、図３に示す融雪優先形態とすることにより、冬季において、部屋１８の部屋内から排出され外気に比べて高温の空気４０を、板部材２２の下方に配置された放出管２６の放出口２８から放出させることにより、板部材２２上の雪（板部材２２上に降る雪、又は板部材２２上に降り積もった雪）を溶かすことができる。これにより、板部材２２上に雪が積もるのを防ぐことができる。また、部屋１８の部屋内から排出された空気４０の熱を利用して板部材２２上の雪を溶かすので、本来は回収されない室内排気（空気４０）の熱を有効利用でき、融雪に掛かる費用を低減することができる。
【００２８】
また、本実施形態の融雪装置２０では、図３に示す融雪優先形態、及び図４に示す熱交換優先形態とすることにより、空冷式熱源機である室外機１４の熱交換空気として、外気に比べて条件のよい空気４０（例えば、融雪優先利用形態にして、室外機１４により部屋１８の部屋内を暖める場合には、外気よりも高温の空気４０。また、例えば、熱交換優先形態にして、室外機１４により部屋１８の部屋内を冷やす場合には、外気よりも低温の空気４０。）を放出管２６、４２の放出口２８、４４から放出することで、室外機１４の熱交換効率を向上させることができる。
【００２９】
さらに、本実施形態の融雪装置２０では、図４に示す熱交換優先形態とすることにより、融雪を行わない春季、夏季及び秋季においては、室外機１４の吸気口３２側へ向かって空気４０を放出することにより、空冷式熱源機である室外機１４の熱交換効率を向上させることができる。
【００３０】
また、本実施形態の融雪装置２０は、板部材２２の下方にダクト２４を設けるといった簡単な構成で構築することができる。
【００３１】
以上、本発明の実施形態について説明した。
【００３２】
なお、本実施形態では、図３に示すように冬季に融雪優先利用形態とし、図４に示すように春季、夏季及び秋季に熱交換優先形態とした例を示したが、融雪を必要とするときに融雪優先利用形態とし、融雪を必要としないときや、融雪よりも室外機１４の熱交換効率向上の方を優先させたいときに熱交換優先形態とすればよい。すなわち、板部材２２上で融雪するときには、放出管２６の放出口２８から板部材２２の下面へ向かって空気を放出し、融雪を行わないときや、融雪よりも室外機１４の熱交換効率向上の方を優先させたいときには、放出管４２の放出口４４から室外機１４の吸気口３２側へ向かって空気を放出すればよい。
【００３３】
このようにすれば、板部材２２上で融雪するときには、放出管２６の放出口２８から板部材２２の下面へ向かって空気４０を放出して融雪能力を向上させ、融雪を行わないときや、融雪よりも室外機１４の熱交換効率向上の方を優先させたいときには、放出管４２の放出口４４から室外機１４の吸気口３２側へ向かって空気４０を放出して空冷式熱源機である室外機１４の熱交換効率を向上させることができる。
【００３４】
例えば、冬季において、降雪センサ等を用いて降雪の有無を判断し、放出管２６の放出口２８から放出される空気４０の放出先を切り換えるようにしてもよい。例えば、図５（ａ）、（ｂ）の正面図に示すような放出管４６によって、放出管４６の放出口４８から放出される空気４０の放出先を切り換えるようにしてもよい。
【００３５】
図５（ａ）、（ｂ）では、放出管４６の一部が蛇腹構造の屈曲部５０になっており、この屈曲部５０で放出管４６を曲げたり、元に戻したりして、放出管４６の放出口４８から放出される空気４０の放出先を切り換えることができる。本例では、融雪優先利用形態のときに、図５（ａ）のように放出管４６を直立させた状態にし、熱交換優先形態のときに、放出管４６を屈曲部５０で略Ｌ字状に曲げた状態にする。
【００３６】
また、本実施形態では、図４に示すように、放出管４２を略Ｌ字状に曲げられた曲管にして、放出管４２の端部に設けられた放出口４４を室外機１４の吸気口３２側へ向けた例を示したが、他の方法によって、放出管の放出口から室外機１４の吸気口３２側へ向かって空気４０を放出するようにしてもよい。
【００３７】
例えば、図６及び図７の方法によって、放出管２６の放出口２８から室外機１４の吸気口３２側へ向かって空気４０を放出するようにしてもよい。図６では、板部材２２の上面に平板状の蓋部材５２を載せて、板部材２２に複数形成された貫通孔を塞ぐことによって、放出管２６の放出口２８から室外機１４の吸気口３２側へ向かう空気４０の流れを作り出している。
【００３８】
図７では、板部材２２の下面に三角柱状の蓋部材５４を設置して、板部材２２に複数形成された貫通孔を塞ぐとともに、上り勾配の傾斜面５６によって、放出管２６の放出口２８から室外機１４の吸気口３２側へ向かう空気４０の流れを作り出している。
【００３９】
さらに、本実施形態では、図２に示すように、室外機１４の周りに板部材２２を設けた例を示したが、人が立ち入る必要がある、キュービクル式高圧受電設備等の設備機器や物置などの周りに板部材２２を設けてもよい。
【００４０】
また、本実施形態では、図１に示すように、建物１０の屋上階１２に融雪装置２０を設けた例を示したが、融雪装置２０は、玄関前やベランダ等の他の場所に設けてもよい。
【００４１】
さらに、本実施形態では、図１に示すように、建物１０の最上階に設けられた部屋１８の部屋内とダクト２４をつなげた例を示したが、ダクト２４は、建物１０に設けられた部屋（部屋内）の１つ以上とつなげればよい。例えば、建物１０に設けられた部屋（部屋内）の全てとつなげてもよい。病室等の２４時間空調が稼働している部屋の部屋内とダクト２４をつなぐのが好ましい。
【００４２】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００４３】
１４  室外機（空冷式熱源機）
２０  融雪装置
２２  板部材
２４  ダクト
２８、４４、４８  放出口
３２  吸気口
４０  空気
【図１】
2018076702.tif 000003
【図２】
2018076702.tif 000004
【図３】
2018076702.tif 000005
【図４】
2018076702.tif 000006
【図５】
2018076702.tif 000007
【図６】
2018076702.tif 000008
【図７】
2018076702.tif 000009